(57)【要約】【課題】ソケットを交換することなく既存の蛍光灯とは異なる光源を容易に且つ安全に使用することができる光源及びそれを用いた照明装置を提供する。【解決手段】ＬＥＤランプ１は、複数の発光ダイオードから成る発光部が設けられた長尺板状の基板１１と、基板１１を収納する直管形の管体１０と、管体１０の両端に設けられて器具本体２に支持される１対のソケット２０に装着される１対の保持用口金１２と、器具本体２に設けられた接続部２２に装着されて、自身及び接続部２２を介した経路で発光部に点灯電力を給電するための給電部１３とを備えた。【選択図】図１
2011181533.tif 000002
【特許請求の範囲】
【請求項１】
蛍光灯とは異なる光源であって、発光部と、既存の蛍光灯用の照明器具のソケットに装着される保持用口金と、前記ソケットを介した経路とは異なる経路で前記発光部に点灯電力を給電するための給電部とを備えたことを特徴とする光源。
【請求項２】
前記発光部は、直管形の管体に収納され、前記管体の両端に前記保持用口金がそれぞれ設けられたことを特徴とする請求項１記載の光源。
【請求項３】
既存の蛍光灯用口金が装着可能なソケットと、前記ソケットを支持するとともに請求項１又は２記載の光源に点灯電力を給電する点灯装置を収納した器具本体とを備え、前記器具本体には、前記給電部が設けられ、前記給電部を介した前記点灯装置から前記光源への給電経路を確立する接続部が設けられたことを特徴とする照明装置。
【発明の詳細な説明】
【技術分野】
【０００１】
本発明は、蛍光灯とは異なる光源及びそれを用いた照明装置に関する。
【背景技術】
【０００２】
近年、既存の蛍光灯用照明器具に取り付け可能な蛍光灯型の発光ダイオードランプ（以下、「ＬＥＤランプ」と呼ぶ）が、蛍光灯の代替光源として市場に出てきており、例えば特許文献１に開示されている。特許文献１に記載のＬＥＤランプ（ＬＥＤ装置)は、管状に形成された透光性部材の内部に複数個のＬＥＤを配設して成る。そして、透光性部材の両端に設けられた口金を照明器具のランプソケットに装着し、ランプソケットを介して点灯装置から点灯に必要な電力を給電することで、ＬＥＤが発光するようになっている。
【０００３】
このような蛍光灯型のＬＥＤランプの装着方法は、各メーカで統一されていない。例えば、ＬＥＤランプを既存の蛍光灯用照明器具で使用する場合には、蛍光灯用の点灯装置を取り外してＬＥＤランプ用の点灯装置を照明器具に備え付ける等、照明器具を改造する必要がある。
【先行技術文献】
【特許文献】
【０００４】
【特許文献１】特開２００４−３０９２９号公報
【発明の概要】
【発明が解決しようとする課題】
【０００５】
ところで、蛍光灯及び蛍光灯型のＬＥＤランプは一見して同じ形状であるため、改造を施した照明器具を既存の蛍光灯用照明器具と勘違いし、誤って蛍光灯を装着してしまう虞があった。この場合、蛍光灯とＬＥＤランプとでは点灯装置の設計が異なるため、誤って蛍光灯を接続すると点灯させることができず、ランプにも悪影響を与える虞があった。また、同じ蛍光灯型のＬＥＤランプであっても、他のメーカが製造した規格の異なるＬＥＤランプを改造を施した照明器具に誤って装着した場合、蛍光灯を装着した場合と同様に、点灯させることができず、ランプに悪影響を与える虞があった。
【０００６】
一方、上記特許文献１に記載のＬＥＤランプでは、ＬＥＤランプを点灯するために専用の口金を設けた構成であるため、既存の蛍光灯用照明器具において当該口金に対応するソケットに交換すれば、上記の問題は生じない。しかしながら、既存の蛍光灯用照明器具のソケットをＬＥＤランプの口金に対応するソケットに交換する必要があることから、手間がかかるという問題があった。
【０００７】
本発明は、上記の点に鑑みて為されたもので、ソケットを交換することなく既存の蛍光灯とは異なる光源を容易に且つ安全に使用することができる光源及びそれを用いた照明装置を提供することを目的とする。
【課題を解決するための手段】
【０００８】
本発明の光源は、蛍光灯とは異なる光源であって、発光部と、既存の蛍光灯用の照明器具のソケットに装着される保持用口金と、前記ソケットを介した経路とは異なる経路で前記発光部に点灯電力を給電するための給電部とを備えたことを特徴とする。
【０００９】
この光源において、前記発光部は、直管形の管体に収納され、前記管体の両端に前記保持用口金がそれぞれ設けられることが好ましい。
【００１０】
本発明の照明装置は、既存の蛍光灯用口金が装着可能なソケットと、前記ソケットを支持するとともに前記何れかの光源に点灯電力を給電する点灯装置を収納した器具本体とを備え、前記器具本体には、前記給電部が設けられ、前記給電部を介した前記点灯装置から前記光源への給電経路を確立する接続部が設けられたことを特徴とする。
【発明の効果】
【００１１】
本発明は、蛍光灯とは異なる光源を既存の蛍光灯用の照明器具のソケットに装着することができ、また、ソケットに装着した際にソケットを介した経路で蛍光灯とは異なる光源に給電されることがないため、ソケットを交換することなく既存の蛍光灯とは異なる光源を容易に且つ安全に使用することができる。
【図面の簡単な説明】
【００１２】
【図１】本発明に係る照明装置の実施形態を示す図で、（ａ）はＬＥＤランプの概略図で、（ｂ）は器具本体の概略図である。
【図２】同上のソケットにＬＥＤランプを装着した場合の概略図である。
【発明を実施するための形態】
【００１３】
以下、本発明に係る照明装置の実施形態について図面を用いて説明する。尚、以下の説明では、図１（ａ）における上下を上下方向と定めるものとする。本実施形態は、図１（ａ），（ｂ）、図２に示すように、ＬＥＤランプ１（光源）と、ＬＥＤランプ１の長手方向の両端に設けられた１対の保持用口金１２が装着される１対のソケット２０を支持する器具本体２とを備える。
【００１４】
ＬＥＤランプ１は、図１（ａ）に示すように、複数の発光ダイオード（図示せず）から成る発光部が設けられた長尺板状の基板１１を直管形状の管体１０に収納して成る。そして、管体１０の長手方向の両端部には、それぞれ各ソケット２０に装着される保持用口金１２が設けられており、各保持用口金１２からはそれぞれ丸棒状の１対のダミーピン１２ａが突設されている。ここで、各保持用口金１２及び各ダミーピン１２ａは単に各ソケット２０に装着できるように構成されているものであり、各保持用口金１２及び各ダミーピン１２ａと基板１１とは互いに電気的に絶縁されている。而して、ＬＥＤランプ１を各ソケット２０に装着しても各保持用口金１２及び各ダミーピン１２ａを介して発光部に電力が給電されることがない。
【００１５】
発光ダイオードは、ＬＥＤランプ１を各ソケット２０に装着した際に光が下方に出射されるように基板１１の下面に実装される。そして、基板１１の上面及び下面には、各発光ダイオードを直列又は並列、若しくは直列と並列とを組み合わせて接続する配線（図示せず）が設けられ、当該配線と電気的に接続された給電部１３が設けられている。給電部１３は、後述する器具本体２の接続部２２に装着されるコネクタから成り、管体１０を貫通するケーブル１３ａを介して基板１１の配線と電気的に接続されている。また、給電部１３は、図２に示すように、各保持用口金１２を各ソケット２０に装着した際に上側（器具本体２側）に位置するように設けられている。
【００１６】
器具本体２は、図１（ｂ）に示すように、ＬＥＤランプ１の長手方向に沿って長尺な箱形に形成されている。器具本体２の内部には、ＬＥＤランプ１に点灯電力を給電する点灯装置２３が収納される。ここで、本実施形態の器具本体２は、既存の蛍光灯用の照明器具を改造したもので、器具本体２の内部からは予め蛍光灯用の点灯装置（図示せず）が取り外され、代わりにＬＥＤランプ１用の点灯装置２３が収納されているものとする。そして、器具本体２の下面には、前述の給電部１３が装着されるコネクタから成る接続部２２が設けられている。当該接続部２２に給電部１３を装着することで、接続部２２及び給電部１３を介した点灯装置２３からＬＥＤランプ１への給電経路が確立するようになっている。
【００１７】
また、器具本体２の下面には、その長手方向に沿った両端に各々ソケット２０が設けられている。各ソケット２０は、既存の蛍光灯用の照明器具に用いられるものである。
【００１８】
以下、本実施形態におけるＬＥＤランプ１の装着について図面を用いて説明する。
【００１９】
図２に示すように、ＬＥＤランプ１の各保持用口金１２を各ソケット２０に装着すると、ＬＥＤランプ１の各ダミーピン１２ａが各ソケット２０に機械的に保持され、ＬＥＤランプ１が各ソケット２０に保持される。そして、ＬＥＤランプ１の給電部１３を器具本体２の接続部２２に装着すると、給電部１３及び接続部２２を介した点灯装置２３からＬＥＤランプ１への給電経路が確立する。したがって、点灯装置２３からＬＥＤランプ１に点灯電力が給電されて、ＬＥＤランプ１が点灯する。
【００２０】
上述のように、本実施形態のＬＥＤランプ１は、既存の蛍光灯用の照明器具の各ソケット２０に装着される１対の保持用口金１２と、各ソケット２０を介した経路とは異なる経路で給電するための給電部１３とを備えている。このため、本実施形態のＬＥＤランプ１は、既存の蛍光灯用の照明器具の各ソケット２０に装着することができ、従来の蛍光灯と同様に安定して器具本体２に保持される。
【００２１】
また、本実施形態の給電部１３は、各保持用口金１２を各ソケット２０に装着した際に器具本体２側に位置するように設けられているので、基板１１に隠れることで外観を損なうことがなく、発光ダイオード（発光部）による配光を妨げることもない。
【００２２】
更に、本実施形態のＬＥＤランプ１は、管体１０が従来の直管型の蛍光灯と同じ形状であり、且つ管体１０の長手方向の両端にそれぞれ保持用口金１２を設けた構成であるため、従来の直管型の蛍光灯と同様の操作で各ソケット２０に装着することができる。また、従来の蛍光灯及び本実施形態のＬＥＤランプ１が一見して同じ外観であるため、蛍光灯からＬＥＤランプ１に交換した際に、照明装置全体の外観が変化することがない。
【００２３】
尚、上記各実施形態では、蛍光灯とは異なる光源として発光ダイオードから成る発光部を備えたＬＥＤランプ１を採用しているが、これに限定される必要はない。例えば、有機エレクトロルミネッセント（ＥＬ）素子から成る発光部を備えた光源を採用しても構わない。
【符号の説明】
【００２４】
１  ＬＥＤランプ（光源）
１２  保持用口金
１３  給電部
２  器具本体
２０  ソケット
２２  接続部
２３  点灯装置
【図１】
2011181533.tif 000003
【図２】
2011181533.tif 000004
【手続補正書】
【提出日】平成23年7月19日(2011.7.19)
【手続補正１】
【補正対象書類名】特許請求の範囲
【補正対象項目名】請求項３
【補正方法】変更
【補正の内容】
【請求項３】
既存の蛍光灯用口金が装着可能なソケットと、前記ソケットを支持するとともに請求項１又は２記載の光源に点灯電力を給電する点灯装置を収納した器具本体とを備え、前記給電部を介した前記点灯装置から前記光源への給電経路を確立する接続部が設けられたことを特徴とする照明装置。
【手続補正２】
【補正対象書類名】明細書
【補正対象項目名】００１０
【補正方法】変更
【補正の内容】
【００１０】
本発明の照明装置は、既存の蛍光灯用口金が装着可能なソケットと、前記ソケットを支持するとともに前記何れかの光源に点灯電力を給電する点灯装置を収納した器具本体とを備え、前記給電部を介した前記点灯装置から前記光源への給電経路を確立する接続部が設けられたことを特徴とする。